(57)【要約】データ記憶装置（１０）と、パッケージ材料と確認システムと、からなる。この確認システムは、記憶装置およびパッケージ材料にコートされる第１および第２のコーティング（２０、２４）からなる。これらコーティング（２０、２４）の内の１つは発色するために反応することができる発色剤マイクロカプセルからなる。もう一方のコーティング（２０、２４）は、顕色剤からなる。コーティング（２０、２４）は、互いに結合させることができる。本発明はさらにデータ記憶装置（１０）の出所を確認する方法に関する。この方法はデータ記憶装置の出所の標示として色を発するために化学組成物を反応させることからなる。
2005530655.tif 000002
【特許請求の範囲】
【請求項１】
（ａ）収容される製品として電子フォーマットのデータを受け、記憶することができる一次データ記憶装置と、
（ｂ）前記データ記憶装置を囲む包装構造体からなるパッケージ材料と、
（ｃ）前記データ記憶装置の出所を確認するための確認システムと、からなり、
前記確認システムは、
（i）前記一次データ記憶装置の第１外方面にコートされる第１コーティングと、
（ii）前記パッケージ材料の第２の面にコートされる第２コーティングと、からなり、
前記第１および第２コーティングの一方が、視認できる色を発生させるために反応することができる実質的に無色の発色剤を含むマイクロカプセル群からなり、もう一方のコーティングが視認できる色を発生させるために前記発色剤と化学的に反応することができる顕色剤からなる製品パッケージ。
【請求項２】
前記第１コーティングが前記顕色剤からなり、前記第２コーティングが前記発色剤を含む前記マイクロカプセルからなることを特徴とする請求項１記載の製品パッケージ。
【請求項３】
前記第２コーティングが、前記顕色剤からなり、前記第１コーティングが、前記発色剤からなることを特徴とする請求項１記載の製品パッケージ。
【請求項４】
前記パッケージ材料が前記包装構造体および前記データ記憶装置とは別個のシート材料を含み、このシート材料は前記データ記憶装置と共に前記製品パッケージに梱包され、前記第１および第２コーティングのどちらか一方が前記シート材料にコートされることを特徴とする請求項１記載の製品パッケージ。
【請求項５】
前記シート材料が前記データ記憶装置に取り外し自在に貼り付けられることを特徴とする請求項４記載の製品パッケージ。
【請求項６】
前記シート材料が前記包装構造体に貼り付けられることを特徴とする請求項４記載の製品パッケージ。
【請求項７】
前記第１コーティングが英数字の証印、図形およびロゴを形成することを特徴とする請求項１記載の製品パッケージ。
【請求項８】
前記第１コーティングが前記包装構造体にコートされ、前記第２コーティングが前記一次データ記憶装置上にコートされ、前記第１および第２コーティングが結合し、前記パッケージが開封されるとその結合が破壊され、それに対応して前記マイクロカプセルが破壊され、前記発色剤の反応によって色を発生させることを特徴とする請求項１記載の製品パッケージ。
【請求項９】
前記第１コーティングが前記一次データ記憶装置の中心軸に対して対照であることを特徴とする請求項１記載の製品パッケージ。
【請求項１０】
前記第１コーティングが互いに物理的に間隔をおいて配された少なくとも第１および第２コーティング要素からなり、これら第１および第２コーティング要素は、一次データ記憶装置の中心軸を中心に互いに対照に配されていることを特徴とする請求項１記載の製品パッケージ。
【請求項１１】
前記一次データ記憶装置の第１外表面が、外縁から外縁までの投影面を形成し、前記第１コーティングが、前記一次データ記憶装置のデータが記憶されるすべての部分に対して該投影面の中央に向かって内方に配されていることを特徴とする請求項１記載の製品パッケージ。
【請求項１２】
前記第２コーティングが、前記一次データ記憶装置が内側にある状態で前記パッケージが閉じているとき、前記一次データ記憶装置の前記第１外面と対面して近接する前記包装構造体のカバー上に配され、前記第２コーティングが、前記パッケージが閉じているとき、前記一次データ記憶装置上の第１コーティング上に重なるように前記カバーの内面に位置し、前記カバーの外面に加えられる圧力によって前記カバーを撓ませ、前記マイクロカプセルを破壊して視認できる色を発生させるのに充分な程度に前記第２コーティングを前記第１コーティングに接触させることを特徴とする請求項１記載の製品パッケージ。
【請求項１３】
電子フォーマットのデータを受け且つ記憶することができ、外面を有する一次データ記憶装置であって、このデータ記憶装置は、
（ａ）基板と、
（ｂ）この基板に関連する記録媒体と、
（ｃ）前記一次データ記憶装置の外面に配される発色剤コーティング組成物とそのための顕色剤とからなる自己含有コーティング組成物と、からなり、この自己含有コーティングは、簡単に破裂するマイクロカプセルに含まれ、視認できる色を発生させるために反応することができる実質的に無色の発色剤と視認できる色を発生させるために前記発色剤と化学的に反応することができる顕色剤とからなる一次データ記憶装置。
【請求項１４】
パッケージ材料からなるパッケージに梱包され、前記自己含有発色剤コーティング組成物が、前記パッケージが閉じているときに前記パッケージ材料に近接して配されることによって、前記パッケージが閉じている間、前記パッケージ材料を操作して前記マイクロカプセルを破壊して充分な量の発色剤を前記顕色剤と反応させて前記一次データ記憶装置の出所の標示として視認できる色を発生させることを特徴とする請求項１３記載の一次データ記憶装置。
【請求項１５】
パッケージ材料からなるパッケージに梱包され、さらに前記コーティング組成物を前記一次データ記憶装置および前記パッケージの移動可能な外壁に接合する接着剤を含むことを特徴とする請求項１３記載の一次データ記憶装置。
【請求項１６】
前記パッケージを開けて前記パッケージの前記移動可能な外壁が移動したとき、前記マイクロカプセルが破裂し、それに含まれる前記発色剤が前記一次データ記憶装置の出所の標示として視認できる色を発生させるように前記接着剤と前記マイクロカプセルが協力し合うように接着剤とマイクロカプセルの組成が、選択されることを特徴とする請求項１５記載の一次データ記憶装置。
【請求項１７】
前記自己含有コーティングが英数字の証印を表す外形を形成することを特徴とする請求項１３記載の一次データ記憶装置。
【請求項１８】
（ａ）第１の化学組成物とこれに反応して色を発生させる第２の異なる化学組成物とからなるコーティングを一次データ記憶装置の外面に塗布すること、
（ｂ）一次データ記憶装置をパッケージ材料に梱包して密閉されたパッケージ化された製品を供すること、
（ｃ）このパッケージ化されたパッケージを開封すること、
（ｄ）パッケージを開封したと同時またはその後に前記第１化学組成物を反応させてデータ記憶装置の出所の標示として色を発生させること、からなる一次電子データ記憶装置の出所を確認する方法。
【請求項１９】
一次データ記憶装置の外面上のコーティングが、第１の化学組成物として色を発生させるために反応することができる発色剤を含むマイクロカプセルからなる第１コーティングからなり、
（e）パッケージ材料の一部として、基板と、第１のコーティングの発色剤と反応しうる顕色剤からなる第２の異なる化学組成物として該基板にコートされる第２のコーティングとからなるコートされたシートを密閉されるパッケージ内に配すること、
（ｆ）第１および第２コーティングを互いに活性するように接触させて第１および第２コーティング間の反応を活性化させ、コートされたシート上に色を発現させること、からなる請求項１８記載の方法。
【請求項２０】
さらに色が発現したコートされたシートをその発現した色によって一次データ記憶装置の製造者を確認するために許可された確認施設の製造者の代理人に戻すことをさらに含むことを特徴とする請求項１９記載の方法。
【請求項２１】
さらにコートされたシート上に発現した色と色度標準を比較することによって一次データ記憶装置の出所を確認することを含むことを特徴とする請求項１９記載の方法。
【発明の詳細な説明】
【技術分野】
【０００１】
本発明は、特定の供給源で供給されたものとして販売される製品が、実際にその各供給源で供給されたものであることを確認するための手段に関する。製品名に権利を所有している製造者達は、その製品が許諾を得ていない企業体によって模倣され、その製品に製品名が使用され、実際にはその製造業者がその模倣品の実際の供給者でないにも拘わらず、その模倣品が本物として販売されることに常に不安を抱いている。
【背景技術】
【０００２】
商標名の排他的所有権の使用および登録の目的は、その商標が付された商品および／または役務を高い品質で供給することによってその商標に業務上の信用を構築し、それによって消費者が、製品の購入を決断する際に商品に付された名前に基づいて商品を識別し、購入することができるようにすることである。通常、商標所有権者は、製造された製品に関連した商標を登録する。従って、商標は、商品、それのパッケージおよび／またはパッケージに同封されている印刷物に付される。
【０００３】
消費者は、特定の商標名を冠した製品を購入する際に、その品物が実際にその特定の商標名の所有者から供給されたものであると考える。一方、使用許諾を得ていない製造業者は、それら製造業者が適当な権利を有していない登録商標を付して製品を製造し、販売する。従って、このように色々な種類の製品に商品名が不当に使用されているので、製品および製品の種類が本物であるかの確認は疑わしくなっている。
【０００４】
製品に商品の供給源について購入者を欺く商標表示によって虚偽の標示がなされ、または、商品が本物であるか疑わしいかぎり、製造業者および消費者にとって商標名の使用による利益が損なわれてしまう。商品に虚偽の標示がなされた場合、購入者は期待していた品質より劣る品質の商品を購入してしまうことがあり得る。もしその製品が購入者にとって満足のいくものではない場合、購入者は実際にはその商品の供給源ではない商標所有者に満足のいく製品を求めて問い合わせする場合もある。仮に商品が本物であってとしても、消費者がそれが本物であるか否かを確認できない場合、消費者も商標所有者も商標の使用による利益を享受することができなくなってしまう。その結果、消費者および商標所有者の両者ともこのような商用の悪用によって損害をこうむることになる。
【０００５】
使用許可を受けていない製造業者の不正行為が発覚した場合、商標所有者は法に基づく償還請求権を有し、従って訴訟を起こすことができる。しかしながら、いくつかの技術領域では、このような無許可の行為は、種々の許可を得ていない事業体の中で横行しており、製造業者による従来の法的行為は、そのような不正行為を制御するには不十分な場合があり、従って商標所有者は、その製品が本物であることを消費者に確実に伝える別の手段を必要としている。
【０００６】
商標名の不正使用の問題は、特に電子データを記録および引き出すために主に使用されるCD  ROMおよびDVDならびにその他の記憶装置などの一次データ記憶装置で特に顕著にあらわれる。
【０００７】
ここで言う「一次データ記憶装置」とは、データの記録、記憶および引き出しの機能が、その装置の実質的な価値を表している装置を意味する。従って、「一次データ記憶装置」なる用語は、他の一次的な機能を有し、データの記憶がその機能の付属的なものである物品をも意味する。従って、この用語には、例えばデータ記憶要素を有するクレジットカードもしくはデビットカード、データ記憶要素を有するIDカードまたはデータの記録、記憶および検索の機能以外の一次的機能を有する類似の製品も含まれる。
【０００８】
通常平面形状であり、電子データを記憶するためのデータ記憶装置の製造元を確認するために講じる手段としては、出所を表す証印としてデータ記憶装置の主要表面の全体にコーティングまたは層を施すことが知られているが、コーティングまたは層またはそれらに形成される証印は、構造的な理由から製造に費用がかかり、また技術的に困難である。このような認証手段は、商標の不正使用を防ぐために費用と高度な技術を必要とする。
【０００９】
また製品の出所を認証するための手段として、その製品のパッケージに識別のための種々の証印を施すことも知られている。このような手段は、潜在的な製造業者または卸売業者による商標の不正使用に対して限界がありまた実施までに時間を要する。
【００１０】
またさらに特定の種類の証印を付したシールをパッケージに貼ることも知られているが、このシールは再製するのに費用がかかり、技術的にも困難である。このような認証手段は、商標の不正使用の防止に費用と高度な技術を必要とする。
【００１１】
さらに消費者が販売されている製品の出所を確認できるように上述の方法を組み合わせて使用することも知られている。
【００１２】
許可を得ていない製品の複製品の流通を防ぐための上述の努力にもかかわらず、商標を不正使用する者は、次第に技術的により進歩しており、資金を増やしているので、不正使用の問題は解決されないままである。従って、消費者が購入する商品の出所を確認または証明することができるような別の選択肢を製造業者または卸売業者に提供する必要がある。特にデータが既に蓄えられており、その製品的価値を購入時に記憶されているデータに依存しているようなデータ記憶装置の出所を確認できるような別の選択肢を提供することが必要である。
【００１３】
より具体的には、コンピューターソフトウエア、オーディオデータおよびビデオデータ並びに上述の一般的な電子データを含むデータ記憶装置の出所を確認するための別の手段を提供することが必要である。
【発明の開示】
【発明が解決しようとする課題】
【００１４】
従って、本発明の目的は、電子フォーマットのデータを記憶し、引き出すために使用される一次データ記憶装置の製造元、出所を確認するための新規な構造および方法を提供することである。
【００１５】
本発明のより具体的な目的は、データ記憶装置に塗布される新規なコーティングを提供することであり、このコーティングはデータ記憶装置の購入時に装置と一緒になっているパッケージの1つ以上の要素と相互作用させることによって活性化し、それによって商品の出所を確認することができる。
【００１６】
本発明の別の目的は、データ記憶装置またはそのためのパッケージに塗布される発色剤を含むマイクロカプセルからなる第１のコーティングを提供することと、第１のコーティングが塗布されていないデータ記憶装置またはそのためのパッケージに塗布される第２の顕色剤コーティングを提供することである。
【００１７】
さらに本発明の別の目的は、データ記憶装置または一次データ記憶装置に塗布される発色剤組成物と顕色剤の両方を含む自己含有発色剤コーティングを提供し、さらにデータ記憶装置の出所を確認するために当該自己含有コーティングと相互作用するパッケージを提供することである。
【課題を解決するための手段】
【００１８】
本発明の第1の態様群では、本発明は製品パッケージに関し、このパッケージは、包装される製品としての電子フォーマットのデータを受け取り、記憶することができる一次データ記憶装置と、通常このデータ記憶装置を包装するための包装構造体からなる包装材料と、データ記憶装置の出所を確認するための確認システムとからなる。この確認システムは、一次データ記憶装置の第１の外面に塗布された第１のコーティングと包装材料の第２の表面に塗布された第２のコーティングとからなる。第１および第２のコーティングの一方は、目視できる色を発生させるために反応することができる実質的に無色の発色剤を含むマイクロカプセル群からなる。もう一方のコーティングは、目視できる色を発生させるために発色剤と化学的に反応することができる顕色剤からなる。
【００１９】
いくつかの態様において、第１コーティングは、顕色剤からなり、第２コーティングは、発色剤を含むマイクロカプセルからなる。
【００２０】
いくつかの態様において、第２コーティングは、顕色剤からなり、第１コーティングは、発色剤を含むマイクロカプセルからなる。
【００２１】
いくつかの態様において、パッケージ材料は、包装構造体およびデータ記憶装置の両方とは別個のシート材料を含み、データ記憶装置と伴に製品パッケージに梱包され、第１および第２コーティングのどちらか一方が該シート材料に塗布される。
【００２２】
またいくつかの態様では、シート材料はデータ記憶装置に取り外し自在に貼り付けられる。
【００２３】
別の態様では、シート材料は包装構造体に貼り付けられる。
【００２４】
いくつかの態様において、第１コーティングは英数字の証印、図形およびロゴを形成する。
【００２５】
いくつかの態様において、第１コーティングは包装構造体に塗布され、第２コーティングは一次データ記憶装置に塗布され、第１および第２コーティングは互いに結合し、パッケージを開封したときにその結合が破壊され、同時にマイクロカプセルが破壊され、発色剤が反応し、発色する。
【００２６】
好ましい態様では、第１コーティングは一次データ記憶装置の中心軸に対して対照に塗布される。
【００２７】
いくつかの態様では、第１コーティングは互いに物理的に離れた少なくとも第１および第２コーティング要素からなり、これらは合わせて一次データ記憶装置の回転の中心軸を介して互いに対照に塗布される。
【００２８】
いくつかの態様において、一次データ記憶装置の第１外表面は、一次データ記憶装置の外縁から外縁までの投影領域（projected area）を形成し、第１コーティングはデータが記憶されている一次データ記憶装置のあらゆる部分に対して該投影領域の中央に向かって内方に配される。
【００２９】
いくつかの態様において、第２コーティングが、一次データ記憶装置が内側にある状態で前記パッケージが閉じているとき、一次データ記憶装置の第１外面と対面して近接する包装構造体のカバー上に配され、第２コーティングが、パッケージが閉じているとき、一次データ記憶装置上の第１コーティング上に重なるようにカバーの内面に位置し、カバーの外面に加えられる圧力によってカバーを撓ませ、マイクロカプセルを破壊して視認できる色を発生させるのに充分な程度に第２コーティングを第１コーティングに接触させる。
【００３０】
本発明の第２の態様群において、本発明は、電子フォーマットのデータを受け、記憶することができる一次データ記憶装置に関する。この一次データ記憶装置は外面を有し、基板と、記憶媒体と一次データ記憶装置の外面に塗布される発色剤組成物と顕色剤とからなる自己含有（self-contained）コーティングとからなり、該自己含有コーティング組成物は、簡単に破裂するマイクロカプセルに含まれ、視認できる色を発生させるために反応することができる実質的に無色の発色剤と、視認できる色を発生させるために発色剤と化学的に反応することができる顕色剤とからなる。
【００３１】
いくつかの態様において、一次データ記憶装置はパッケージ材料からなるパッケージに梱包され、この材料では自己含有発色コーティング組成物が、パッケージが閉じていて、且つ、密封されている間、マイクロカプセルを破壊して、充分な量の発色剤を顕色剤と反応させて一次データ記憶装置の出所の標示として視認できる色を発生させるようにパッケージが閉じている際にパッケージ材料と近接して配されている。
【００３２】
一次データ記憶装置がパッケージ材料からなるパッケージに梱包されているいくつかの態様において、コーティング組成物を一次データ記憶装置とパッケージの移動可能な外壁の両方に接合する接着剤をさらに含む。
【００３３】
好ましい態様において、パッケージを開けてパッケージの移動可能な外壁が移動したとき、マイクロカプセルが破裂し、それに含まれる発色剤が一次データ記憶装置の出所の標示として視認できる色を発生させるように接着剤と前記マイクロカプセルが協力し合うように接着剤とマイクロカプセルの組成が、選択される。
【００３４】
いくつかの態様において、自己含有コーティングは英数字の証印、図形およびロゴを表す外形を形成する。
【００３５】
本発明の第３の態様群において、本発明はコーティング一次データ記憶装置の出所を確認する方法に関する。この方法は、第１の化学組成物とこれに反応して色を発生させる第２の異なる化学組成物とからなるコーティング組成物を塗布すること、一次データ記憶装置をパッケージ材料に梱包し、密閉されたパッケージ化された製品を供すること、このパッケージ化されたパッケージを開封すること、パッケージを開封したと同時またはその後に第１化学組成物を反応させて一次データ記憶装置の出所の標示として色を発生させること、からなる。
【００３６】
一次データ記憶装置の外表面に塗布されるコーティングが、第１の化学組成物として色を発生させるために反応することができる発色剤を含むマイクロカプセルからなるいくつかの態様において、本発明の方法は、パッケージ材料の一部として、基板と、第１のコーティングの発色剤と反応しうる顕色剤からなる第２の異なる化学組成物として該基板にコートされる第２のコーティングとからなるコートされたシートを密閉されるパッケージ内に配し、第１および第２コーティングを互いに活性するように接触させて第１および第２コーティング間の反応を活性化させ、コートされたシート上に色を発現させる。
【００３７】
本発明の方法は、さらに色が発現したコートされたシートをその発現した色によって一次データ記憶装置の製造者を確認するために許可された確認施設の製造者の代理人に戻すことをさらに含む。
【００３８】
またさらに本発明の方法は、さらにコートされたシート上に発現した色と色度標準を比較することによって一次データ記憶装置の出所を確認することを含む。
【００３９】
本発明は、その用途において、以下の説明または図面により例示した部材の詳細な構造または構成に限定されるものではない。本発明は、上述以外の他の態様も可能であり、他の種々の方法で実施または実践することができる。またここで使用している術語および用語は、説明および例示のために用いたものであり、本発明を限定するものではない。同一符号は同一の部材を表す。
【発明を実施するための最良の形態】
【００４０】
図１は宝石箱のような形をしたケース１４の受け部１２に配されたコンパクトディスク１０を示し、このケースはコンパクトディスクを梱包するための包装構造体として使用される。ケース１４はさらにコンパクトディスクを密封された状態に完全に包装するためのカバー１６を含む。パッケージとしてその中にコンパクトディスクを密封する際、種々のシート材料１８が通常コンパクトディスクと一緒に梱包される。このようなシート材料としては取り扱い説明書、保証情報、登録証、実物証明書、関連製品およびサービスの広告などの印刷物が挙げられる。
【００４１】
第１コーティング２０は、リング状にコンパクトディスク１０の外方主要面２２上に示されている。また図に示すように第２コーティング２４は、同じくリング状にケース１４のカバー１６の内面２６に塗布されている。コーティング２０および２４は協同で、視認できる色標示を発生させるために第２化学組成物と反応することができる通常無色の発色剤を含んでいる。発色剤は、早期反応によって視認できる色標示を発生させないように発色剤を保護する高分子マイクロカプセル内に封入されている。またコーティング２０および２４はさらに色標示を形成するために発色剤と反応することができる顕色インク組成物を含む。
【００４２】
図１に示す態様において、顕色剤インク組成物は、コンパクトディスクに塗布されたコーティング２０の組成物に含まれ、カーボンレス発色剤コーティングの業界ではCFコーティングとして知られている。またマイクロカプセル中の発色剤は、コーティング２４の組成物中に含まれ、カーボンレス発色剤コーティングの業界ではCBコーティングとして知られている。
【００４３】
いくつかの態様において、これらコーティングはCB発色剤含有コーティングがコンパクトディスク状にコートされ、CF顕色剤コーティングがケースのカバーの内面にコートされるように逆にコートすることも可能である。
【００４４】
本発明の特に望ましい特徴は、２つの層２０、２４の一方がデータ記憶装置上に他方がパッケージ材料の構成要素上にコートされるということである。
【００４５】
ここで言う「パッケージ材料」にはケース１４などの包装構造体および例えば印刷物などのシート１８のような記憶されたデータとは関係の無いその他のケースとは別の構成要素が含まれる。またパッケージ材料には、ラベル、コンパクトディスクを安定させるもの、クッション材料などの多岐にわたる他の周辺材料も含まれる。
【００４６】
CBコーティングは、通常、ケースのカバー１６の内側表面などの基板に１つ以上の通常無色の発色剤と１つ以上のバインダー材料の溶液を含む圧力または張力によって破壊されるマイクロカプセルを含む発色材料コーティングをコートすることによって塗布される。通常、未調理の小麦澱粉のような保護スチルト材も含まれる。CBシートのコートされた側（発色剤層）がCFコートされた基部の顕色剤層と接触するように位置し、圧力が加えられると、発色剤カプセルの一部が破裂し、発色剤溶液が開放され、CFコーティングへと移行し、そこで顕色剤との反応によって像が形成される。通常、下記特許文献に記載されているような単一の液滴の発色剤カプセルを用いて、単位面積当たりのマイクロカプセル中に存在するすべての利用可能な発色剤の好適な分量を顕色剤コーティングに移動させ、尖筆、先が丸みを帯びたもの、その他筆記具などで好適な圧力を基板に加えてCFコーティング中に色のついた像を発生させる。
【特許文献１】米国特許第４，５５２，８１１号
【特許文献２】米国特許第４，００１，１４０号
【特許文献３】米国特許第４，１００，１０３号
【００４７】
マイクロカプセルに採用される発色剤のための液状芯材料または溶媒には、データ記憶装置が通常、使用される温度範囲で液体であり、発色反応を抑制しないまたは発色反応に悪影響を与えないすべての物質が使用可能である。好適な液体としては、ジブチルフタレート、ジオクチルフタレート、ジノニルフタレートおよびジトリデシルフタレートなどの炭素数４から１３のアルキル基を有するジアルキルフタレート、２，２，４−トリメチル−１，３−ペンタンジオールジイソブチレート（下記、特許文献４参照）、エチルジフェニルメタン（下記、特許文献５参照）、モノイソプロピルビフェニルなどのアルキルビフェニル（下記、特許文献６参照）、ドデシルベンゼンなどのC10−C14アルキルベンゼン、ジアリールエーテル、ジ（アラルキル）エーテルおよびアリールアラルキルエーテル、ジフェニルエーテル、ジベンジルエーテルおよびフェニルベンジルエーテルなどのエーテル、液体高級ジアルキルエーテル（少なくとも８個の炭素原子を有する）、液体高級アルキルケトン（少なくとも９個の炭素原子を有する）、ベンジルベンゾエートなどのアルキルまたはアラルキルベンゾエート、ジプロピルナフタレンなどのアルキル化されたナフタレン（下記、特許文献７参照）、部分水素化テルフェニル、植物油、植物油のエステル、エチルジフェニルメタン（下記、特許文献５参照）、ベンジルキシレン（下記、特許文献８参照）、プロピルビフェニルおよびブチルビフェニルなどのアルキルビフェニル（下記、特許文献６および９参照）、ジブチルフタレート、ジオクチルフタレート、ジノニルフタレートおよびジトリデシルフタレートなどの炭素数４から１３のアルキル基を有するジアルキルフタレート、２，２，４−トリメチル−１，２−ペンタンジオールジイソブチレート（下記、特許文献４参照）、高沸点直鎖または分枝炭化水素、およびこれらの混合物が挙げられる。
【特許文献４】米国特許第４，０２７，０６５号
【特許文献５】米国特許第３，９９６，４０５号
【特許文献６】米国特許第３，６２７，５８１号
【特許文献７】米国特許第３，８０６，４６３号
【特許文献８】米国特許第４，１３０，２９９号
【特許文献９】米国特許第４，２８７，０７４号
【００４８】
必要であれば、直鎖炭化水素などの一般的な希釈剤を溶媒または溶媒の混合物に配合してもよい。
【００４９】
マイクロカプセルは上記特許文献１，２および３に開示されているように尿素−ホルムアルデヒド樹脂および／またはメラミン−ホルムアルデヒド樹脂などから公知の方法で製することができる。
【００５０】
CBコーティングはCBコーティングに採用される発色剤のための１つ以上の顕色剤を含むすべてのCFコーティングと像を形成するために利用することができる。
【００５１】
本発明のマイクロカプセルに使用する発色剤は、フタリド、ロイコオーラミン（leucoauramine）およびフルオラン化合物などの電子供与性染料前駆体である。そのような発色剤の例としては、クリスタルバイオレットラクトン（３，３−ビス（４−ジメチルアミノフェニル）−６−ジメチルアミノフタリド、下記、特許文献１０参照）；フェニル、インドール、ピロールおよびカルバゾール置換のフタリド（下記、特許文献１１、１２、１３、１４参照）；ニトロ、アミノ、アミド、スルホンアミド、アミノベンジリデン、ハロゲンおよびアニリノ置換のフルオラン（下記、特許文献１５、１６、１７、１８、１９参照）；スピロジピラン（下記、特許文献２０参照）；ピリジンおよびピラジン化合物（例えば下記特許文献２１、２２参照）などがある。他の利用可能な発色剤としては、３−ジエチルアミノ−６−メチル−７−アニリノ−フルオラン（上記、特許文献１９参照）；２−アニリノ−３−メチル−６−ジブチルアミノ−フルオラン（下記、特許文献２３参照）、３−ジブチルアミノ−６−メチル−７−アニリノ−フルオラン；３−ジブチルアミノ−７−（２−クロロアニリノ）フルオラン；３−（Ｎ−エチル−Ｎ−テトラヒドロフルフリルアミノ）−６−メチル−７−３−５−６−トリス（ジ−メチルアミノ）スピロ［９Ｈ−フルオレン−９−１（３−Ｈ）−イソベンゾフラン］−３−オン；７−（１−エチル−２−メチルインドール−３−イル）−７−（４−ジエチルアミノ−２−エトキシフェニル）−５，７−ジヒドロフロ［３，４−ｂ］ピリジン−５−オン（下記、特許文献２４参照）；３−ジエチルアミノ−７−（２−クロロアニリノ）フルオラン（下記、特許文献２５参照）；３−（Ｎ−メチルシクロヘキシルアミノ）−６−メチル−７−アニリノ−フルオラン（下記、特許文献２６参照）；７−（１−オクチル−２−メチルインドール−３−イル）−７−（４−ジエチルアミノ−２−エトキシフェニル）−５，７−ジヒドロフロ［３，４−ｂ］ピリジン−５−オン；３−ジエチルアミノ−７，８−ベンゾフルオラン；３，３−ビス（１−エチル−２−メチルインドール−３−イル）フタリド；３−ジエチルアミノ−７−アニリノ−フルオラン；３−ジエチルアミノ−７−ベンジルアミノ−フルオラン；３’−フェニル−７−ジベンジルアミノ−２，２’−スピロ−ジ−［２Ｈ−１−ベンゾ−ピラン］；６−［エチル（３−メチルブチル）アミノ］−３−メチル−２−（フェニルアミノ）−スピロ［イソベンゾフラン−１］３H）、９−［９H］キサンタン］−３−オン；６−（ジメチルアミノ−３，３−ビス（４−（ジメチルアミノ）フェニル）−１（３H）−イソベンゾフラン（クリスタルバイオレットラクトン）；３−ジエチルアミノ−６−メチル−７−（２，４−ジメチルフェニル）アミノフルオランおよびこれら化合物のいずれかの混合物などが挙げられる。これらフルオランの内αまたはβ結晶形状を有すものも、同じように機能し、本発明の目的に同様に使用することができる。
【特許文献１０】米国特許第ＲＥ２３，０２４号
【特許文献１１】米国特許第３，４９１，１１１号
【特許文献１２】米国特許第３，４９１，１１２号
【特許文献１３】米国特許第３，４９１，１１６号
【特許文献１４】米国特許第３，５０９，１７４号
【特許文献１５】米国特許第３，６２４，１０７号
【特許文献１６】米国特許第３，３２７，７８７号
【特許文献１７】米国特許第３，６４１，０１１号
【特許文献１８】米国特許第３，６４２，８２８号
【特許文献１９】米国特許第３，６８１，３９０号
【特許文献２０】米国特許第３，９７１，８０８号
【特許文献２１】米国特許第３，７７５，４２４号
【特許文献２２】米国特許第３，８５３，８６９号
【特許文献２３】米国特許第４，５１０，５１３号
【特許文献２４】米国特許第４，２４６，３１８号
【特許文献２５】米国特許第３，９２０，５１０号
【特許文献２６】米国特許第３，９５９，５７１号
【００５２】
特に明記していない限り、すべての測定値、パーセンテージまたは部は、重量基準である。
【００５３】
CBコーティングに採用される発色剤が化学的に基本となる発色剤である場合、すべての公知の酸性顕色剤をCFコーティングに使用することができ、その酸性顕色剤の例としては、クレー、処理クレー（下記、特許文献２７および２８参照）、芳香族カルボン酸およびその金属塩（下記、特許文献２９参照）、フェノール系顕色剤（下記、特許文献３０参照）、フェノールホルムアルデヒド高分子などの酸性高分子材料（下記、特許文献３１および３２参照）および金属変性フェノール系樹脂（下記、特許文献３３、３４、３５、３６、３７および３８参照）が挙げられる。
【特許文献２７】米国特許第３，６２２，３６４号
【特許文献２８】米国特許第３，７５３，７６１号
【特許文献２９】米国特許第４，０２２，９３６号
【特許文献３０】米国特許第３，２４４，５５０号
【特許文献３１】米国特許第３，４５５，７２１号
【特許文献３２】米国特許第３，６７２，９３５号
【特許文献３３】米国特許第３，７３２，１２０号
【特許文献３４】米国特許第３，７３７，４１０号
【特許文献３５】米国特許第４，１６５，１０２号
【特許文献３６】米国特許第４，１６５，１０３号
【特許文献３７】米国特許第４，１６６，６４４号
【特許文献３８】米国特許第４，１８８，４５６号
【００５４】
任意ではあるが、さらに別の態様では、数組のカプセル群にコーティング２０および２４の両方を含ませてもよい、しかしながら、この場合各組のカプセルは別の違う色を発現させる。コーティング２０および２４を有する表面が、一緒にされると、第３の異なる色が現れる。顕色剤はコーティング２０または２４のいずれかに含ませればよい。
【００５５】
しかしながら、CFコーティング２０中の顕色剤は、通常、発色剤のマイクロカプセルを含まず、通常、発色組成物の代わりに対向するCBコーティングの発色剤と反応しうる顕色共反応材を含むインクベースの組成物を含む。対向するコーティング２４のマイクロカプセルが破壊し、その中に含まれていた発色剤がCFインクコーティング２０中の顕色剤上に放出されると、発色反応が生じ、所望の色つき像が発現する。
【００５６】
従って、コーティング２０の組成は、通常の着色材料の代わりにインク基材中に共反応材料が使用され、共反応材料がコーティング２４のマイクロカプセル中の発色剤と反応しうる公知のインクから広く選択することができる。下記にCFコーティング中に使用可能なリソグラフィックインク基材と紫外線硬化インク基材の典型例を示す。
【００５７】
【表１】
2005530655.tif 000003
【００５８】
共反応材の種類
顕色剤としても知られている共反応材は、無機顕色剤であってもよい。このような顕色剤としては、下記特許文献３９に開示されているモントモリロナイトクレーなどの無機酸性物質、コロイダルシリカ、カオリン、ベントナイト、アタバルガイト、シルトンクレー（silton clay）、ハロサイト（hallosyte）などが挙げられる。これらの酸性材料は、溶融せず発色剤との反応によって発色反応を起こすので好ましい。これとは別にまたはこれに加えて、例えば下記特許文献４０および４１に開示されているようないわゆる半合成無機顕色剤および下記特許文献４２、４３、４４または４５に開示されているようなアルミナ／シリカ顕色剤などの他の酸性クレーを使用することも可能である。
【特許文献３９】英国特許第１，２１３，８３５号
【特許文献４０】欧州特許出願第４４，６４５Ａ号
【特許文献４１】欧州特許出願第１４４，４７２Ａ号
【特許文献４２】欧州特許出願第４２，２６５Ａ号
【特許文献４３】欧州特許出願第４２，２６６Ａ号
【特許文献４４】欧州特許出願第４３４，３０６Ａ号
【特許文献４５】欧州特許出願第５１８，４７１Ａ号
【００５９】
他の酸性顕色剤としてはモノフェノールまたはジフェノールなどのフェノール系反応性材料として下記特許文献４６に例示されている化合物が挙げられる。また次のような化合物も酸性顕色剤として使用することができ、これらは単独でも混合物としても使用できる、４，４−イソプロピリジンジフェノール（ビスフェノールA）、ｐ−ヒドロキベンズアルデヒド、ｐ−ヒドロキシベンゾフェノン、ｐ−ヒドロキシプロピオフェノン、２，４−ジヒドロキシアセトフェノン、４−ヒドロキシ−４−メチルベンゾフェノン、４，４−ジヒドロキシベンゾフェノン、２，２−ビス（４−ヒドロキシフェニル）−４−メチルペンタン、ベンジル４−ヒドロキシフェニルケトン、２，２−ビス（４−ヒドロキシフェニル）−５−メチル−ヘキサン、エチル−４，４−ビス（４−ヒドロキシフェニル）−ペンタノエート、イソプロピル−４，４−ビス（４−ヒドロキシフェニル）ペンタノエート、メチル−４，４−ビス（４−ヒドロキシフェニル）ペンタノエート、アリル−４，４−ビス（４−ペンタン；４，４−ビス（４−ヒドロキシフェニル）−ヘプタン、２，２−ビス（４−ヒドロキシフェニル）−１−フェニルプロパン；２，２−ビス（４−ヒドロキシフェニル）ブタン、２，２−メチレン−ビス（４−エチル−６−ターシャリーブチルフェノール）、４−ヒドロキシクマリン、７−ヒドロキシ−４−メチル−クマリン、２，２−メテン−ビス（４−オクチルフェノール）、４，４−スルホニルジフェノール、４，４、−チオビス（６−ターシャリーブチル−ｍ−クレゾール）、メチル−p−ヒドロキシベンゾエート、n−プロピル−p−ヒドロキシベンゾエート、ベンジル−ｐ−ヒドロキシベンゾエート、４，４−イソプロピリン−ジンジフェノール、n−プロピル−４，４−ビス（４−ヒドロキシフェニル）ペンタノエート、イソプロピル−４，４−ビス（４−ヒドロキシフェニル）ペンタノエート、メチル４，４−ビス（４−ヒドロキシフェニル）ペンタノエート、２，２−ビス（４−ヒドロキシフェニル）−４−４メチルペンタン、ｐ−ヒドロキシベンゾフェノン、２，４−ジヒドロキシベンゾフェノン、１，１−ビス（４−ヒドロキシフェニル）シクロヘキサンおよびベンジル−p−ヒドロキシベンゾエート。また例えば、ホルムアルデヒドとp−オクチルフェノールなどのアルキルフェノールまたはｐ−フェニルフェノールなどの他のフェノール類などのフェノールとの反応性生物であるフェノール系ノボラック樹脂も酸性顕色剤として挙げることができる。また他の利用可能な酸性顕色剤としては、処理クレーなどのその他のクレー（上記、特許文献２７および２８参照）、サリチル酸などの芳香族カルボン酸、芳香族カルボン酸の誘導体およびその金属塩（上記、特許文献２９参照）、フェノール系顕色剤（上記、特許文献３０参照、下記特許文献４７参照）、フェノール−ホルムアルデヒドポリマーなどの酸性高分子材料（上記、特許文献３１および３２参照）および金属変性フェノール樹脂（上記、特許文献３３、３４、３５、３６、３７および３８参照）などが挙げられる。サリチル酸亜鉛などのカルボン酸の金属塩を含有させて像の質を高めることも任意に選択可能である。
【特許文献４６】米国特許第３，５３９，３７５号
【特許文献４７】米国特許第４，５７３，０６３号
【００６０】
溶媒の種類
多くの異なる種類の溶媒がインク製造において使用される。揮発性の溶媒は、それらが属する化学基に依存する溶解性によって分類される。ＣＦ−ＣＢ反応において本発明の発色材料として使用できる典型的なＣＦリソグラフィックインクに好適な揮発性溶媒としては、次のようなものが挙げられる。
アルコール
エステル
脂肪族化合物
グリコール
ケトン
芳香族化合物
【００６１】
樹脂
通常、樹脂は発色剤がインク組成物に放出される際の共反応材料および発色剤のキャリアーである。典型的なものは合成樹脂であり、その例としては次のものが挙げられる。
ポリビニルアセテート
アクリル系化合物
エチルセルロース
セルロースニトレート
ケトン
ポリスチレン
ポリビニルブチラール
アルキド樹脂
フェノール樹脂
塩化ゴム
環状ゴム
ポリウレタン
ポリビニルアルコール
エポキシ樹脂
ポリアミド
エチルヒドロキシエチルセルロース（ＥＨＥＣ）
セルロースアセテートブチラール（ＣＡＢ）
セルロースアセテートプロピオネート（ＣＡＰ）
カルボキシメチルセルロースナトリウム（ＣＭＣ）
【００６２】
多くのこのような樹脂は、溶解性、硬度、抵抗性および粘着力などの各々異なる特性を有する種々の異なるグレードのものが使用可能である。当業者によって特定の態様に好適な樹脂が選択され、最終的な顕色剤インクコーティングに所望の特性を付与するために好適な処理と特性適応化剤（property compatibilizers）が選択される。
【００６３】
例えばコンパクトディスクに通常使用されるラッカー仕上げが施されている場合およびケースカバー１６に通常使用されるプラスチック材料で処理されている場合、コーティング２０、２４の組成は、意図する使用に適合するように好適な乾燥および最終的な乾燥表面特性に応じて選択される。ケースカバー１６のコーティングは、カバー１６に粘着された基板にコートすることができる。これとは別にコーティングを直接、カバー１６にコートすることができる。いずれの場合も、必要であればコーティングを例えば剥離性の接着材料によってカバーに取り外し自在に設けることができる。
【００６４】
発色剤コーティングまたは顕色剤コーティングにかかわらず、コーティングの組成は、その顕色化学特性並びにコーティングが施される基板に対する安定性、コーティングが完全に乾いたときに発現する乾燥性および最終的な表面の粘着性に関する物理的特性に応じて選択される。従って、例えばシート１８の紙の基板に塗布される所定のコーティング２０、２４は、高分子基板に塗布されるコーティングとは異なる、例えば高分子材料および／または異なる溶媒によって処方される。
【００６５】
コンパクトディスクについては、それにコートされるコーティング、例えばコーティング２０は、コンパクトディスクの外方、例えばラッカーが施された面に直接コートするのが好ましい。従って、ラッカー処理された基板に塗布する場合に好適なインク組成が選択される。
【００６６】
コンパクトディスク上のコーティング２０は、任意ではあるが、ディスクの外面２０に対して垂直に延びる中央回転軸「Ａ」に対して対照であるのが好ましい。このように適切にバランスを取ることによってディスクが例えばコンパクトディスクリーダー、レコーダーまたは複製機で使用されている間のディスクそのもののバランスを損なわなくなる。
【００６７】
ディスク２２上のコーティング２０の平面像、形および配置は種々の形状を取ることができ、あらゆる所望の平面形状を表すことができる。図１に示すようにコーティング２０は、ディスクの２つの主要面の１つに配された環状またはリング形状をしており、データが記憶されているディスクの最も内側の部分の内方に配されている。コーティング２０は、所定の形状の単独または複数のスポットとすることができる。
【００６８】
これとは別にそして図１に例示するようにディスク上のコーティングは、複数のコーティング要素によって表すことができる。図１は軸Ａに対して対照に位置する両側に様式化された文字「Ｍ」を表す２つの要素２０Aを示している。このように様式化された「Ｍ」のような英数字からなる認証が好ましい。
【００６９】
例示した複数のコーティング要素の態様では、各コーティング要素２０Aは、データの記録、記憶または引き出しにを支障きたさずにディスクのデータ記憶箇所に重なった状態で配される。２つ以上のコーティング要素を用いることができる。
【００７０】
しかしながら、多くのコーティング要素、例えば１、２、３，４または他の所望の数だけ使用することができるが、典型的にはコンパクトディスクまたはその他の記録媒体上のコーティング２０または２０Aは、ディスクの外表面２２の投影領域のすべてまたは一部を覆う。好ましい態様では、通常、コーティング２０または２０Aはディスクの外表面の突出した表面領域の２０％を超えないようにコートされる。従って、単独のコーティング２０または複数のコーティング２０Aは、コーティング要素が所定の位置に配置される際に一部がそしてディスクの外面を形成するラッカーのオーバーコートと合わせて不連続の別個のコーティング要素を表す。
【００７１】
個別のコーティング要素２０または２０Aがディスク上に位置するところにはそれらに対応するコーティング２４、２４Aがケースのカバー１６の内部面のカバーを閉じた際にコーティング要素２０または２０Aと重なる場所に配され、これによりカバーが閉じてディスクを覆っている場合にケースの外面に例えば手で圧迫したりユーザーの手の力によって加えられた圧力がコーティング２４、２４A中のマイクロカプセルにコーティング２０、２０Aに向かって作用し、マイクロカプセルを破壊し、各コーティング２０または２０Aの所に所望の像を発現させる。
【００７２】
発色剤として有用なインク組成の典型例を以下に示す。
【００７３】
【表２】
2005530655.tif 000004
【００７４】
【表３】
2005530655.tif 000005
【００７５】
【表４】
2005530655.tif 000006
【００７６】
【表５】
2005530655.tif 000007
【００７７】
紫外線硬化インクの共反応材料は、各発色体剤との反応のための上述の共反応材料と同じである。通常、上記いずれの共反応材料はいずれの発色剤と伴に使用することができる。
【００７８】
本発明で有用な紫外線硬化インクに好適なプレポリマーとしては次のものが挙げられる。
エポキシアクリレート
ポリウレタンアクリレート
ポリエステルアクリレート
ウレタン
エポキシド
ポリエステル
【００７９】
本発明で有用な紫外線硬化インクに好適なモノマーおよびオリゴマーとしては次のものが挙げられる。
ポリエチレングリコールジアクリレート
トリプロピレングリコールジアクリレート（TGD）
フェノキシエチルアクリレート
イソデシルアクリレート
【００８０】
本発明で有用な紫外線硬化インクに好適なモノマーおよびオリゴマーとしては次のものが挙げられる。
ベンゾフェノン
トリエタノールアミン
クロロチオキサノン
【００８１】
本発明に使用するための紫外線硬化CFインクの好ましい態様の組成を構成するものの一般名称は次の通りである。
【００８２】
【表６】
2005530655.tif 000008
【００８３】
表５およびそれに続いて例示された材料を参照すると、本発明の使用に好適な紫外線硬化組成の一般例を例示すると次のようになる。
【００８４】
【表７】
2005530655.tif 000009
【００８５】
上述したようにパッケージ材料のコーティング２４は必要であれば好適な基板を含んでもよく、コンパクトディスクを梱包するパッケージの一部として含まれるあらゆる材料に施すことができる。
【００８６】
図１に例示したようにCBコーティング層２４はカバーからCBコーティング層を取り除かずにコンパクトディスクにコートされたCFコーティング層２０を活性化させるために使用される。いくつかの態様では、大人のユーザーが手でCBコーティング層２４上のカバーに圧力を加えることによってCFコーティング層２４に充分な圧力をもたらし、層２４中のカプセルを破壊して所望の商品を確認するための像を供するようにコンパクトディスクとケースカバーとの間の隙間が、充分狭く、カバーが充分撓むようになっている。
【００８７】
層２０および２４の間の隙間がこれら層をその場で活性させるには大きすぎる場合または例えばシート材１８がこれら層２０および２４の間に配されている場合または単にユーザーの希望に応じて、コンパクトディスクをケースの受け部から取り除いて、層２０および２４が接触するようにケースの内面と接触させ、圧力を加えてカプセルを破壊して所望の像を発現させることができる。
【００８８】
別の態様では、コーティング層２４をケースの内面または例えばシート１８の１枚に剥離可能な接着剤によって取り付けることも可能であり、従ってカバー１６の内面に取り外し自在に取り付けられる。このような態様では、コーティング層２４は各パッケージ材料から剥離され、圧力によってコーティング層２０と対面式に接触し、これによりマイクロカプセルを破壊し、所望の像を発現させ、その後コーティング層２４はディスク１０から取り除かれ、ディスク１０は通常の方法で使用される。
【００８９】
これとは別に例えばコーティング２４を支持するパッケージシート１８をシートとしてケース２４とパッケージ化することができ、またディスク１０またはケース１４に剥離性接着剤によってまたはミシン面の切り裂き線を有する半券として取り外し自在に取り付けることできる。製品の出所を確認したい場合、当該シート１８を剥がすまたはディスクまたはケースから取り外してコーティング２０をコーティング２４に重ねてコーティング２０と面接触させる。それから圧力を加えてマイクロカプセルを破壊し、コーティング２０に潜在する色のついた像を発現させる。
【００９０】
通常、別個のコーティング２４は像を発現させるため以外はコーティング２０と接触しない状態にある。
【００９１】
さらに別の態様では、発色剤を含むマイクロカプセルと例えばインクコーティング２０などの顕色剤の両方が自己含有（self-contained）コーティング組成物としてコンパクトディスク上にコートされる、このような自己含有コーティング組成物は、その厚さに対して均一にされる。これとは別にこのような自己含有コーティングを不均一にして例えば顕色剤を最初に外面２２に塗布して、マイクロカプセルを含有する材料のコーティングを顕色剤層に施してもよく、これとは逆にしてもよい。いずれにしても所望の像が、典型的には筆圧などの圧力を自己含有コーティングに作用させてその場で形成される。このような自己含有コーティングは、均一、不均一にかかわらず、ディスク１０がデータを記録、記憶または検索するために通常の方法で使用される間、ディスク上に残っている。
【００９２】
いくつかの態様において、接着剤がコーティング２０および２４を互いに結合するためにこれらコーティングのどちらかまたは両方にまたは自己含有層に使用され、発色剤は層２０および２４を引き離すまたは自己含有層を破壊することによる引張力によってマイクロカプセルを破壊することによって活性化される。従って、マイクロカプセルはマイクロカプセルを含む各層に作用する圧力または引張力によって破壊される。
【００９３】
上記構造および配置は、ディスク１０上のコーティング２０に顕色剤インクをパッケージ上のコーティング２４にマイクロカプセル発色剤コーティングを供することを特徴としている。必要であれば、これらの組成をマイクロカプセル発色体コーティングをディスク上に顕色剤インクをパッケージ材料上になるように逆にすることもできる。色は各々コートされたパッケージ材料上に像として発現する。このような場合、ユーザーはパッケージ材に色のついた像を発現させることによって製品の出所を確認することができ、このような出所を示す像をパッケージの保証の正当性を証明するものの一部としてシリアル番号と一緒に製品の製造者に提示することができる。製造者は、提示された像の色と色度標準とを比較して製品の出所を保証することができる。製造者が色度標準の発色剤の供給を制御しているならば、出所が確認できる。
【００９４】
本発明を電子データを記憶するまたは引き出すための一次データ記憶装置の一例としてコンパクトディスクを参照して説明してきたが、本発明は電子データを記憶および検索に使用するものとして知られている広範囲の装置にも同様に適用することができる。従って、DVDおよびMP3などの別のデータ記憶装置並びに現在または将来的に供給されているまたは供給される発色反応コーティングを保持するのに好適な面を有するその他の装置にも同様に適用することができる。
【００９５】
コーティング２０、２０A、２４、２４Aとしてまたはこれらコーティング上に使用するための上述の構造および組成に関して、このような個々のコーティングを所望のコーティングパターンを設けるための種々の方法を利用することができる。例えば、そのような方法としてはフレキソ印刷、石版印刷、オフセット印刷などが挙げられる。好ましい方法はスクリーン印刷である。
【００９６】
またここで使用した「容易に破壊可能なマイクロカプセル」とは、従来の筆記具などを用いることによって破壊されるマイクロカプセルを意味する。
【００９７】
当業者であれば本発明の精神を逸脱することなく例示した態様に関してここに開示した装置および方法に特定の変更を行うことができる。そして本発明を好ましい態様を参照して詳述してきたが、本発明を多くの再構成、変更および変型に適合され、これら再構成、変更および変型は添付の特許請求の範囲に含まれるものである。
【００９８】
本特許請求の範囲が手段および機能的言語を使用している限り、本明細書に開示された態様に示されたものと構造的に同等でないものを請求の範囲または本明細書に含むとは解されない。
【図面の簡単な説明】
【００９９】
【図１】開いた状態にある宝石箱状のパッケージに入ったコンピューターソフトウエアとこれを購入した際に使用されるようなCD  ROMデータ記憶装置と通常、ソフトウエアと一緒に梱包される説明書とを示す。
【図１】
2005530655.tif 000010
【国際調査報告】
2005530655.tif 000011